(57)【特許請求の範囲】
【請求項１】
装置本体(10)の内部に、熱交換器(14)で相交差する排気風路(51)および給気風路(52)と、これら排気風路(51)および給気風路(52)にそれぞれ設けられる排気送風機(15)および給気送風機(16)とを備える空気調和装置(1) において、
上記熱交換器(14)は、多数の仕切板(37)を含み、これらの仕切板(37)が当該熱交換器(14)の長手方向としての水平方向(H1)に積層されて略直方体をなし、熱交換器(14)の一の側面(39)からなる排気側吸込面(56)は、真下に向けられており、この排気側吸込面(56)に隣接した他の側面(39)からなる給気側吸込面(54)は、側方に向けられており、
上記排気送風機(15)および給気送風機(16)は、両吸込型とされて、熱交換器(14)に対して同側に配置されるとともに、共通の駆動手段(35)により駆動され、一対の送風機(15,16) の羽根車(31)の回転中心軸線(33)が、上記熱交換器(14)の長手方向に平行とされ、
上記排気送風機(15)および給気送風機(16)のそれぞれは、熱交換器(14)の給気側吸込面(54)に対向し、給気送風機(16)と対向する給気側吸込面(54)の部分は、排気送風機(15)と対向する給気側吸込面(54)の部分よりも、熱交換器(14)の長手方向の中央部に近い位置に配置されており、
排気送風機(15)が熱交換器(14)の送風方向下流になり、給気送風機(16)が熱交換器(14)の送風方向上流になるように、各送風機(15,16) の対応する風路(51,52) における送風方向が設定されていることを特徴とする空気調和装置。
【請求項２】
請求項１に記載の空気調和装置(1) において、
上記装置本体(10)の下面(29)に対向して天井面(5) に配置される化粧パネル(11)が、室内空気の吸込口(40)と、この吸込口(40)の周囲に配置される複数の吹出口(43)とを含むことを特徴とする空気調和装置。
【請求項３】
請求項２に記載の空気調和装置(1) において、
上記化粧パネル(11)は、吸込口(40)の四方にそれぞれ配置される４つの吹出口(41)を含み、４つの吹出口(41)のうち、両送風機(15,16) の下方に対応する吹出口(42)はダミーであることを特徴とする空気調和装置。
【請求項４】
請求項３に記載の空気調和装置(1) において、
上記装置本体(10)の下面(29)に、ダミーでない３つの吹出口(43)に一括して空気を送る略コの字形形状の開口(27)が形成されていることを特徴とする空気調和装置。
【発明の詳細な説明】
【０００１】
【発明の属する技術分野】
空気調和装置に関する。例えば、天井裏に配置される装置本体と、これに取り付けられて天井面に配置される化粧パネルとを有する天井配置型の空気調和装置に関する。
【０００２】
【従来の技術および発明が解決しようとする課題】
上述の空気調和装置としては、例えば、熱交換型換気装置がある。これは、装置本体と屋外とを一対のダクトで連通させるとともに、装置本体と室内とを化粧パネルを介して連通させて、室内からの排気流と、室内への給気流とにより、屋外の空気により室内を換気できるようにしている。化粧パネルには、空気吹出口と空気吸込口とが一つずつ設けられている。また、装置本体の内部には、排気流および給気流の間で熱交換するための熱交換器と、給気流および排気流を生じさせる一対の送風機とが設けられている。
【０００３】
装置本体内では、熱交換器と一対の送風機とは、熱交換器の多数の仕切板の積層方向となる一の方向に並び、一対の送風機は熱交換器の両側に配置されている。これに対応して、装置本体は、上述の一の方向に沿って長い略直方体の箱状に形成されており、その長手方向に大型化していた。
一方、小型の空気調和装置として、装置本体内に、一対の送風機が熱交換器に対して同側に配置されたものがある。この空気調和装置では、給気流の風路において、給気送風機は、熱交換器の送風方向上流に配置され、また、排気送風機は、熱交換器の送風方向上流に配置されていた。
【０００４】
しかしながら、排気送風機は熱交換器よりも室内側に配置されるので、室内へ送風機からの音が漏れ易く、その結果、空気調和装置の運転音が大きくなる傾向にある。
そこで、本発明の目的は、上述の技術的課題を解決し、低騒音でしかも小型化できる空気調和装置を提供することである。
【０００５】
【課題を解決するための手段および発明の効果】
請求項１に記載の発明は、装置本体の内部に、熱交換器で相交差する排気風路および給気風路と、これら排気風路および給気風路にそれぞれ設けられる排気送風機および給気送風機とを備える空気調和装置において、上記熱交換器は、多数の仕切板を含み、これらの仕切板が当該熱交換器の長手方向としての水平方向に積層されて略直方体をなし、熱交換器の一の側面からなる排気側吸込面は、真下に向けられており、この排気側吸込面に隣接した他の側面からなる給気側吸込面は、側方に向けられており、上記排気送風機および給気送風機は、両吸込型とされて、熱交換器に対して同側に配置されるとともに、共通の駆動手段により駆動され、一対の送風機の羽根車の回転中心軸線が、上記熱交換器の長手方向に平行とされ、上記排気送風機および給気送風機のそれぞれは、熱交換器の給気側吸込面に対向し、給気送風機と対向する給気側吸込面の部分は、排気送風機と対向する給気側吸込面の部分よりも、熱交換器の長手方向の中央部に近い位置に配置されており、排気送風機が熱交換器の送風方向下流になり、給気送風機が熱交換器の送風方向上流になるように、各送風機の対応する風路における送風方向が設定されていることを特徴とする空気調和装置を提供する。
【０００６】
この発明によれば、一対の送風機は、熱交換器に対して同側に配置されることにより、外形をまとめてコンパクトに配置でき、しかも室内への風路に熱交換器を介することにより、送風機からの音を室内へ漏れ難くできる。その結果、小型且つ低騒音の空気調和装置を実現できる。
【０００７】
また、熱交換器は、略直方体をなし、熱交換器の一の側面からなる排気側吸込面は真下に向けられている。これにより、略直方体の熱交換器を、一の側面を斜めにする場合に比べてコンパクトに配置できるので、より一層小型の空気調和装置を実現できる。
また、例えば、空気調和装置を天井に配置する場合に、室内から熱交換器の排気側吸込面への風路を簡素化できる。その結果、小型化に好ましく、しかも、空気がスムーズに流れるので、低騒音化にも寄与する。
【０００８】
また、両送風機は、熱交換器の一の側面からなる給気側吸込面に対向して配置されている。これにより、給気送風機と熱交換器の給気側吸込面との間の風路を簡素化できるので、小型化するのに好ましい。また、給気送風機の近傍に排気送風機を隣接して並べることができるので、より一層小型化するのに好ましい。また、両送風機を熱交換器に対して空気を流し易い位置でコンパクトに配置することができる。
【０００９】
また、熱交換器は、水平方向に積層される多数の仕切板を含む。これにより、積層方向に長くなる傾向にある熱交換器を、その高さを抑えつつコンパクトに配置できるので、より一層小型化するのに好ましく、例えば、天井配置型の空気調和装置に好ましい。
【００１０】
また、給気送風機および排気送風機は、共通の駆動手段により駆動される。これにより、送風機ごとに別個の駆動手段を設ける場合に比べて、駆動手段や送風機間に必要な隙間を少なくできるので、空気調和装置を小型化できる。
請求項２に記載の発明は、請求項１に記載の空気調和装置において、上記装置本体の下面に対向して天井面に配置される化粧パネルが、室内空気の吸込口と、この吸込口の周囲に配置される複数の吹出口とを含むことを特徴とする空気調和装置を提供する。
【００１１】
この発明によれば、単一の吹出口を設ける場合と比較すると、複数の吹出口は総吹出面積を広く確保できるので、吹出風量を同じにしたときに各吹出口からの吹出流速を低減できる。その結果、速い吹出風に起因するドラフト感を低減でき、且つ吹出流速を低減して運転音の低減も図ることができる。
請求項３に記載の発明は、請求項２に記載の空気調和装置において、上記化粧パネルは、吸込口の四方にそれぞれ配置される４つの吹出口を含み、４つの吹出口のうち、両送風機の下方に対応する吹出口はダミーであることを特徴とする空気調和装置を提供する。
【００１２】
この発明によれば、吹出口は、吸込口のほぼ全周を取り囲むことができ、吹出面積を最大限に確保できる。また、４つの吹出口を吸込口の四方にバランス良く配置できるので、デザイン的にも優れる。
ダミーである吹出口は、空気を流さないので、音を室内に漏れ難くできる結果、その上方にある送風機の運転音の室内への漏れを抑制できて好ましい。
請求項４に記載の発明は、請求項３に記載の空気調和装置において、上記装置本体の下面に、ダミーでない３つの吹出口に一括して空気を送る略コの字形形状の開口が形成されていることを特徴とする空気調和装置を提供する。
【００１３】
この発明によれば、３つの吹出口間で吹出風をむらなく分散でき、請求項７の３つの吹出口を実効あるものにすることができる。
【００１５】
【発明の実施の形態】
本発明の一実施形態の空気調和装置を添付図面を参照しつつ説明する。
図１は、本発明の一実施形態の空気調和装置の一部断面下面図であり、図２のＡ−Ａ断面を示す。図２は、図１に示す空気調和装置の一部断面正面図であり、図１のＢ−Ｂ断面を示す。図３は、図１に示す空気調和装置の一部断面正面図であり、図１のＣ−Ｃ断面を示す。図４は、図１に示す空気調和装置の化粧パネル１１の下面図である。図５は、図１に示す空気調和装置の装置本体の下面図である。図１と図２を参照する。
【００１６】
本空気調和装置１は、一対のダクト２とともに、室内４から屋外への排気流と、屋外から室内４への給気流とを生成し、排気流および給気流との間で熱交換しながら、室内４を換気する熱交換型換気装置を構成している。
空気調和装置１は、天井裏３に配置される装置本体としてのケーシング１０と、室内４に面して天井面５に配置されて天井開口６を介してケーシング１０の下面２９に取り外し可能に取り付けられる化粧パネル１１とを有している。ケーシング１０は、その側面に固定された保持具１３を介して、天井裏の梁等に設けられた吊りボルト等（図示せず）に吊り下げ支持されている。
【００１７】
ケーシング１０は、平面形状略矩形、より詳しくは略８角形形状の箱状に形成されている。ケーシング１０の内部には、その略中央部に配置された直交流型の熱交換器１４と、この熱交換器１４で相交差する排気風路５１および給気風路５２と、これら排気風路５１および給気風路５２にそれぞれ設けられる排気送風機１５および給気送風機１６とを備えている。給気風路５２および排気風路５１は、ケーシング１０の内部で互いに仕切られている。
【００１８】
ケーシング１０は、ダクト継手１２を介して、一対のダクト２と接続されている。また、ケーシング１０の下面２９に化粧パネル１１が固定されている。化粧パネル１１は、平面視で略正方形に形成され、室内４へ空気を吹き出す吹出口４１と、室内４の空気を吸い込む吸込口４０とを有している（図４参照）。化粧パネル１１の吸込口４０および吹出口４１は、ケーシング１０の内部およびダクト継手１２を介して、一対のダクト２とそれぞれ連通している。
【００１９】
両送風機１５，１６が運転されると、給気風路５２に給気流が流れ、排気風路５１に排気流が流れる。両気流は、互いに熱交換されつつ化粧パネル１１、ケーシング１０およびダクト２を通じて流れ、これにより、室内４が換気される。
本発明の空気調和装置１では、排気送風機１５および給気送風機１６は、熱交換器１４に対して同側に配置されている。且つ、排気送風機１５が熱交換器１４の送風方向下流になり、給気送風機１６が熱交換器１４の送風方向上流になるように、各送風機１５，１６の対応する風路５１，５２における送風方向（図１の矢印Ｆ１，Ｆ２参照）が設定されている。これにより、小型且つ低騒音の空気調和装置１を実現できている。
【００２０】
上記熱交換器１４は、水平方向に積層される送風用の多数の仕切板３７（一部のみ図示）と、隣接する仕切板３７間に配置されてその間の間隔を規制する断面波形の多数の間隔規制部材３８（一部のみ図示）とを含む。
なお、各図には、水平方向を示す矢印Ｈ１，Ｈ２を図示している。Ｈ１は仕切板３７の積層方向に沿う方向であり、Ｈ２は、仕切板３７の積層方向と直交する方向である。
【００２１】
各風路５１，５２は、間隔規制部材３８により間隔を規制された互いに隣接する一対の仕切板３７間に区画され、その間隔規制部材３８の波形の頂部の延びる方向に空気が流れる。間隔規制部材３８の波形の頂部の延びる方向が、隣接する間隔規制部材３８同士で互いに直交するように配置されており、給気風路５２および排気風路５１が仕切板３７を介して隣接しつつ、その流れ方向を直交させて区画されている。
【００２２】
上記熱交換器１４は、略直方体をなしている。この略直方体は、仕切板３７の積層方向に長く形成され、この長手方向の断面形状は、仕切板３７の外形である略正方形とほぼ同形とされている。熱交換器１４の長手方向に沿う複数、例えば、４つの側面３９は、多数の仕切板３７および間隔規制部材３８の端縁により通気面に形成されている。各側面３９は、給気側吸込面５４、給気側吹出面５５、排気側吸込面５６および排気側吹出面５７とそれぞれなっている。給気側吸込面５４および給気側吹出面５５は、互いに対向する側面３９にあり、排気側吸込面５６および排気側吹出面５７は、互いに対向する側面３９にある。上述の直方体の一の側面３９からなる排気側吸込面５６は真下に向けられている。
【００２３】
両送風機１５，１６は、熱交換器１４の一の側面３９からなる給気側吸込面５４に対向して配置されている。両送風機１５，１６の２つの羽根車３１は互いに同心に配置され、両羽根車３１の回転中心軸線３３が熱交換器１４の長手方向と平行に配置されている。
両送風機１５，１６は、熱交換器１４の長手方向に沿う一の側面３９に対して、この側面３９と対向する方向についての一方の側である同側に配置されている。
【００２４】
各送風機１５，１６は、空気を送るために回転自在に支持されて多数の羽根を有する羽根車３１と、この羽根車３１を収容して空気流を案内するファンケーシング３２とをそれぞれ有している。
各送風機１５，１６は、回転中心軸線３３に沿う方向（軸方向ともいう。）の左右両側から空気を吸い込む左右両吸込型に構成されている。左右両吸込型の送風機１５，１６では、ファンケーシング３２の左右両側の吸込口への風路を分散させて配置できるので、十分な風量を確保しつつ狭隘なスペースに配置するのに好ましい。
【００２５】
給気送風機１６および排気送風機１５は、共通の駆動手段としての単一のモータ３５により駆動される。モータ３５は、回転中心軸線３３に沿ってモータ３５の本体から両側へ向けて延びる回転軸３６を有し、この回転軸３６の両端に各送風機１５，１６の羽根車３１が駆動連結されている。各羽根車３１は、モータ３５の回転軸３６を介してモータ３５の軸受により回転自在に支持されている。モータ３５の回転軸３６が所定の回転方向（例えば、図２および図３では反時計回りに）に回転すると、両送風機１５，１６が空気を送り出すことができる。
【００２６】
両送風機１５，１６およびモータ３５は、一体的な送風ユニットを構成している。給気送風機１６と、排気送風機１５と、モータ３５とは、回転中心軸線３３の延びる方向に並んで配置され、両送風機１５，１６の間にモータ３５が挟まれて配置されている。モータ３５が給気風路５２および排気風路５１を区画する部材の一部として機能している。モータ３５の回転軸３６は、水平方向に延びており、送風ユニットは、回転中心軸線３３に沿って長い外形を有し、熱交換器１４の長手方向となる仕切板３７の積層方向に平行に配置されている。送風ユニットと熱交換器１４との両者の長手方向を平行にして、両者を並べているので、長手方向および両者が並ぶ方向の両方向にともに直交する方向に、空気調和装置１の外形を小型化するのに好ましい。
【００２７】
特に、送風ユニットと熱交換器１４との両者を水平方向に沿って並べ、且つ両者の長手方向を水平としているので、空気調和装置１を上下方向に小型化するのに好ましく、天井配置型の空気調和装置１に好ましい。
給気送風機１６を熱交換器１４の給気側吸込面５４の略中央部で対向させつつ、排気送風機１５を熱交換器１４の長手方向の端部近傍に配置している。これにより両送風機１５，１６を熱交換器１４に対して空気を流し易い位置でコンパクトに配置することができる。
【００２８】
ケーシング１０は、平面形状の略８角形の各辺をなす８つの側面２０と、各側面２０の上端縁を接続する上面２８と、各側面２０の下端縁を接続する下面２９とを有している。８つの側面２０は、平面形状を略矩形とみたときの長方形の各辺をなす互いに対向する２対の正側面２１〜２４と、上述の長方形の角部に切り落とし状に形成される４つのコーナ側面２５とを有する。
ケーシング１０の平面形状の長方形の長手方向と、送風ユニットの長手方向となる軸方向と、熱交換器１４の長手方向となる積層方向とは、互いに平行に配置されているので、一方向に長いもの同士をまとめてコンパクトに配置するのに好ましい。
【００２９】
ケーシング１０の平面形状の長方形の長手方向に沿って延びる正側面２１は、送風ユニットに隣接して、送風ユニットの軸方向と平行に配置されている。正側面２１には、一対のダクト継手１２が送風ユニットの軸方向に沿って並んでいる。両送風機１５，１６と隣接する正側面２１に一対のダクト２を接続しているので、両送風機１５，１６と一対のダクト２とをつなぐ風路を短くできる結果、空気調和装置１の小型化に好ましい。
【００３０】
ケーシング１０の内部には、給気風路５２および排気風路５１を構成する複数の室６１〜６５が、複数の仕切部材７１〜７７等により区画されている。給気用のダクト２とつながり給気送風機１６が配置される第１室６１と、給気送風機１６の吐出口と熱交換器１４の給気側吸込面５４とに面する第２室６２と、熱交換器１４の給気側吹出面５５に面する第３室６３とが区画されている。また、熱交換器１４の排気側吹出面５７に面して熱交換器１４の上方に区画されている第４室６４と、第４室６４と連通し排気送風機１５が配置された第５室６５とが区画されている。排気送風機１５の吐出口は排気用のダクト２につながるダクト継手１２につながっている。
【００３１】
ケーシング１０には、第１室６１と第２室６２とを仕切る仕切部材７１と、第２室６２と第３室６３とを仕切る仕切部材７２と、第３室６３と第４室６４とを仕切る仕切部材７３と、第３室６３と第５室６５とを仕切る仕切部材７４と、第２室６２と第５室６５とを仕切る仕切部材７５と、第１室６１と第５室６５とを仕切る仕切部材７６と、第２室６２と第４室６４とを仕切る仕切部材７７とが設けられている。
【００３２】
また、第４室６４は、熱交換器１４の排気側吹出面５７に沿う方向に延びており、熱交換器１４の長手方向の一方の端部近傍にある開口（図示せず）を通じて第５室６５に連通している。排気流は、熱交換器１４から第４室６４および第５室６５を経て排気送風機１５へ向けて、折り返し状に流れている。すなわち、排気流は、吸込口４０から熱交換器１４内を経て第４室６４へ真上に向かって流れ、第４室内で水平に流れ、第４室６４から第５室６５に入る際に、平面視で略直角に曲がりつつ下方に向けて流れる。
【００３３】
また、第３室６３は、平面視で、熱交換器１４の給気側吹出面５５および両端面に面する三方を取り囲む略コの字形状に形成されている。第３室６３は、下面２９に形成された開口２７を通じて、化粧パネル１１の吹出口４１に連通している（図３および図５参照）。また、熱交換器１４の排気側吸込面５６は、下面２９に形成された開口２６を介して、化粧パネル１１の吸込口４０に臨んでいる（図２参照）。
【００３４】
第３室６３では、給気側吹出面５５からの空気は、給気側吹出面５５に対向する正側面２２およびこの正側面２２に隣接し且つ給気側吹出面５５に対して斜めに配置される一対のコーナ側面２５に沿って、熱交換器１４の長手方向の両側にまで流れ込むことができる（図１の矢印Ｆ３参照）。
排気風路５１は、下面２９の開口２６から、熱交換器１４の仕切板３７間の一方の風路、第４室６４、第５室６５、排気送風機１５を経て、一方のダクト継手１２に至る。給気風路５２は、他方のダクト継手１２から第１室６１、給気送風機１６、第２室６２、熱交換器１４の仕切板３７間の他方の風路、第３室６３を経て下面２９の開口２７に至り、化粧パネル１１の吹出口４１へとつながる。
【００３５】
化粧パネル１１は、ケーシング１０の下面２９に対向して取り付けられ、天井面５に配置される。化粧パネル１１は、図４に示すように、平面視で略矩形、例えば、略正方形に形成されている。化粧パネル１１の中央部に配置された略矩形の室内空気の吸込口４０と、化粧パネル１１の周縁に沿って吸込口４０の周囲に配置される複数、例えば、４つの吹出口４１とが設けられている。
これら４つの吹出口４１は、吸込口４０の四方にそれぞれ配置されている。４つの吹出口４１のうち、両送風機１５，１６の下方に対応する１つの吹出口４２はダミーであり、空気を流通させない開口である。また、吹出口４２を除いた残りの３つの吹出口４３は、ダミーでなく、空気を吹き出す開口である。
【００３６】
なお、上述の吹出口４１は、ダミーでない吹出口４３と、ダミーである吹出口４２とを含む総称として用いている。なお、ダミーである吹出口４２には、空気を吸い込む開口は含まれない。
ダミーである吹出口４２は、下方から見たときに、ダミーでない吹出口４３と同形に形成されており、違和感のない外形とされている。ダミーである吹出口４２の上部には吹出口４２を塞ぐ閉鎖部材４４が設けられている。この閉鎖部材４４は、ダミーである吹出口４２を通じて室内へ両送風機１５，１６の運転音が伝わることを防止でき、低騒音化を図るのに好ましい。
【００３７】
ダミーでない複数、例えば、３つの吹出口４３は、吸込口４０の周囲となる化粧パネル１１の下面に配置されている。
これらの吹出口４３は、吸込口４０を両側から挟む２つの吹出口４３と、これら２つの吹出口４３の間となる吸込口４０の周縁に沿って配置された吹出口４３とを含む。これら３つの吹出口４３は、吸込口４０の３方を取り囲んでいる。
また、ケーシング１０の下面２９には、図５に示すように、ダミーでない３つの吹出口４３に一括して空気を送る略コの字形形状の開口２７が形成されている。
【００３８】
空気は、熱交換器１４から出た後、第３室６３で拡がり、下方の開口２７を経てそのまま吹出口４１をスムーズに通って室内４に吹き出される。吹出風は、複数の吹出口４１からむらなく分散して吹き出される。吹出風の吹出方向は、吸込口４０から遠ざかるように斜め下向きとされている。
特にコの字形状の開口２７は、吸込口４０の周囲のダミーでない３つの吹出口４３の配置に合わせて、平面視で重なるように配置されているので、吹出風を分散させるのに好ましい。
【００３９】
このように本発明の実施形態によれば、一対の送風機１５，１６は、熱交換器１４に対して同側に配置されることにより、外形をまとめてコンパクトに配置でき、しかも両送風機１５，１６の送風方向が室内４への風路に熱交換器１４を介するように設定されていることにより、送風機１５，１６からの音を室内へ漏れ難くできる。その結果、小型且つ低騒音の空気調和装置１を実現できる。
また、略直方体の熱交換器１４を、その一の側面３９を真下に向けて配置したので、一の側面３９を斜めにする場合に比べてコンパクトに配置できるので、より一層小型の空気調和装置１を実現できる。
【００４０】
特に、熱交換器１４の排気側吸込面５６が真下に向けられていることにより、天井配置型の空気調和装置１において、室内４に面する吸込口４０から熱交換器１４の排気側吸込面５６への風路を簡素化できる。例えば、本実施形態では、化粧パネル１１の吸込口４０の直近の真上に開口２６を介して排気側吸込面５６が配置されている。その結果、小型化に好ましく、しかも、空気がスムーズに流れるので、低騒音化にも寄与する。
【００４１】
また、両送風機１５，１６は、熱交換器１４の給気側吸込面５４に対向して配置されている。これにより、給気送風機１６と熱交換器１４の給気側吸込面５４との間の風路を簡素化できるので、小型化するのに好ましい。しかも、給気送風機１６の近傍に排気送風機１５を隣接して並べることができるので、より一層小型化するのに好ましい。
また、熱交換器１４の多数の仕切板３７を水平方向に積層したことにより、積層方向に長くなる傾向にある熱交換器１４を、その高さを抑えつつコンパクトに配置できるので、より一層小型化するのに好ましく、例えば、天井配置型の空気調和装置１に好ましい。
【００４２】
また、給気送風機１６および排気送風機１５は、共通の駆動手段としてのモータ３５により駆動されるので、送風機ごとに別個の駆動手段を設ける場合に比べて、駆動手段や送風機間に必要な隙間を少なくでき、その結果、空気調和装置１を小型化できる。
また、化粧パネル１１の吸込口４０の周囲に複数の吹出口４１、特にダミーでない吹出口４３を配置するようにした。これにより、単一の吹出口４１を設ける場合と比較すると、複数の吹出口４１は総開口面積を広く確保できるので、吹出風量を同じにしたときに各吹出口４１からの吹出流速を低減できる。その結果、速い吹出風に起因するドラフト感を低減でき、且つ吹出流速を低減して運転音の低減も図ることができる。
【００４３】
さらに、吸込口４０の周囲に吹出口４１を分散させているので、吹出風の集中を防止でき、吹出風が集中して人に吹きつけられることに起因するドラフト感を抑制することができる。
ここで、吹出口４１が吸込口４０の周囲に配置されていることによる上述の作用効果を得るには、吸込口４０の両側にダミーでない吹出口４３があればよい。例えば、ダミーである吹出口４２は、設けられても良いし、設けられない構成も考えられる。
【００４４】
また、４つの吹出口４１は、吸込口４０の四方にそれぞれ配置され、吸込口４０のほぼ全周を取り囲むことができるので、吹出面積を最大限に確保できる。しかも、４つの吹出口４１を吸込口４０の四方にバランス良く配置でき、デザイン的にも優れる。さらに、４つの吹出口４１にダミーである吹出口４２を設けることにより、上述の作用効果を得つつ、実効の得難い吹出口４１、例えば、熱交換器１４の給気側吹出面５５から最も遠くにある吹出口４１への風路を省略でき、小型化するのに好ましい。
【００４５】
また、ダミーである吹出口４２を両送風機１５，１６の下方に対応して設けた。ダミーである吹出口４１は空気を流さないので、音を室内に漏れ難くできる結果、その上方にある送風機の運転音の室内への漏れを抑制できて好ましい。
また、ダミーでない３つの吹出口４１に一括して空気を送る略コの字形形状の開口２７により、上述の３つの吹出口４１を実効あるものにすることができる。すなわち、３つの吹出口４１に対応した形状の開口２７から空気が一括して送られるので、吹出風を３つの吹出口４１間でばらつきなく分散させることができる。
【００４６】
ここで、開口２７が略コの字形形状であるとは、開口２７が、互いに対向して配置される一対の部分と、これら一対の部分の一方の端部同士をつなぐように延びる接続部分とを有していればよく、これらの各部分が互いに仕切られていてもよい。また、各部分が湾曲した形状とされていてもよい。
なお、上述の実施形態では、空気調和装置１は、両送風機１５，１６を熱交換器１４に対して同側に配置する第１の構成と、排気送風機１５の送風方向が排気風路５１において熱交換器１４の下流になるように設定されている第２の構成と、複数の吹出口４１を有する第３の構成とをともに有するものを説明したが、これには限定されない。例えば、上述の第１の構成および第２の構成だけを有するものでもよい。また、上述の第１の構成および第３の構成だけを有するものでもよい。
【００４７】
上述の第１の構成および第３の構成を有する場合には、吸込口４０の周囲の複数の吹出口４１による上述の作用効果、および一対の送風機を熱交換器１４に対して同側に配置したことによる上述の作用効果を同様に得ることができ、その結果、低騒音で且つ小型の空気調和装置を実現できる。
また、上述の第１の構成および第２の構成を有する場合にも、低騒音で且つ小型の空気調和装置を実現できる。
【００４８】
また、熱交換器１４の外形は、その長手方向を切る断面が略正方形となる直方体であったが、これには限定されず、略直方体であればよい。ここで、略直方体には、例えば、熱交換器１４の長手方向を切る断面形状が、長方形や菱形等の矩形のものの他、この矩形の角部がカットされたり丸められたりして形成される６角形、８角形等の多角形や、略円形のものも含む。
その他、本発明の要旨を変更しない範囲で種々の設計変更を施すことが可能である。
【図面の簡単な説明】
【図１】本発明の一実施形態の空気調和装置の一部断面下面図であり、化粧パネルおよびケーシングの下面を取り外した状態を図示している。
【図２】図１に示す空気調和装置の一部断面正面図であり、図１のＢ−Ｂ断面を図示している。
【図３】図１に示す空気調和装置の一部断面正面図であり、図１のＣ−Ｃ断面を図示している。
【図４】図１に示す空気調和装置の化粧パネルの下面図である。
【図５】図１に示す空気調和装置のケーシングの下面図である。
【符号の説明】
１  空気調和装置
５  天井面
１０  ケーシング（装置本体）
１１  化粧パネル
１４  熱交換器
１５  排気送風機
１６  給気送風機
２７  略コの字形形状の開口
２９  下面
３１  羽根車
３３  回転中心軸線
３５  モータ（駆動手段）
３７  仕切板
３９  熱交換器の一の側面
４０  吸込口
４１  吹出口
４２  ダミーである吹出口
４３  ダミーでない吹出口
５１  排気風路
５２  給気風路
５４  給気側吸込面
５６  排気側吸込面
Ｆ１，Ｆ２  送風方向
Ｈ１  水平方向
【図１】
0003978984.tif 000002
【図２】
0003978984.tif 000003
【図３】
0003978984.tif 000004
【図４】
0003978984.tif 000005
【図５】
0003978984.tif 000006